【手続補正書】
【提出日】平成16年7月23日(2004.7.23)
【手続補正１】
【補正対象書類名】明細書
【補正対象項目名】全文
【補正方法】変更
【補正の内容】
【書類名】  明細書
【発明の名称】  針状コロのスキュー治具および仮固定装置
【特許請求の範囲】
【請求項１】  ケースの円筒状のコロ装填孔内に並列状に装填された複数個の針状コロに対して、これら針状コロの一端を前記コロ装填孔の内径面円周方向へ強制的に偏位させることにより、これら針状コロをスキュー状態に仮固定するスキュー治具であって、
前記針状コロの一端に当接係合する先端スキュー部を先端に備え、
この先端スキュー部は、前記ケースの針状コロの一端面で形成される環状輪郭に対応した円環状断面を有する円筒部の形態とされるとともに、この円筒部の先端縁が円周方向へ連続的にかつ交互に傾斜した複数の傾斜面からなる階段状に形成されている
ことを特徴とする針状コロのスキュー治具。
【請求項２】  前記円筒部の先端縁を構成する交互に傾斜する傾斜面の一方が前記ケースのコロ装填孔内に装填された針状コロの一端と円周方向へ当接係合するスキュー係合面とされている
ことを特徴とする請求項１に記載の針状コロのスキュー治具。
【請求項３】  前記スキュー係合面の傾斜角度は、前記針状コロのスキュー傾斜角度よりも大きく設定されている
ことを特徴とする請求項２に記載の針状コロのスキュー治具。
【請求項４】  前記スキュー係合面の配設数は、前記針状コロの配設数に等しく設定されている
ことを特徴とする請求項２または３に記載の針状コロのスキュー治具。
【請求項５】  ケースの円筒状のコロ装填孔内に並列状に装填された複数個の針状コロに対して、これら針状コロの一端を前記コロ装填孔の内径面円周方向へ強制的に偏位させることにより、これら針状コロをスキュー状態に仮固定する仮固定装置であって、
前記ケースおよび前記針状コロの下端を支持するケース支持台上に、前記ケースを固定するケース固定手段と、
前記ケースに装填された前記針状コロの上端を、前記コロ装填孔の内径面円周方向へ強制的に偏位させて、前記針状コロを、その軸心が前記コロ装填孔の軸心に対し傾斜したスキュー状態として、これら針状コロに自己保持力を付与するスキュー手段とを備えてなり、
このスキュー手段は、前記ケースの針状コロ上端面に押圧係合する押圧部と、この押圧部を回転させる回転部とから構成され、
前記押圧部は、請求項１から４のいずれか一つに記載のスキュー治具を先端部に備えるスキュー軸と、このスキュー治具を前記ケース支持台上の前記ケースの針状コロ上端面に押圧する押圧バネとを備える
ことを特徴とする針状コロの仮固定装置。
【発明の詳細な説明】
【０００１】
【発明の属する技術分野】
この発明は、針状コロのスキュー治具および仮固定装置に関し、さらに詳細には、ピニオンギヤや軸受のレース等のケースのコロ装填孔内に装填された針状コロについて、これら針状コロの一端を円周方向へ強制的に偏位させることにより、これら針状コロをスキュー(skew)状態に仮固定する仮固定技術に関するものである。
【０００２】
【従来の技術】
軸部材との相対的な回転が要求されるピニオンギヤや軸受のレース等は、予め針状コロ（ニードルローラ）を装填した状態でその搬送や所定部位への組付け作業などが行われているのが一般であり、この目的のため、本発明者等は、これらピニオンギヤや軸受のレース等において針状コロをスキュー状態に仮固定する方法技術を既に提案している（例えば、特開平３−７９２４４号公報参照）。
【０００３】
この仮固定技術においては、図７(a)に示すようなスキュー治具ａが仮固定装置の主要部として用いられる。このスキュー治具ａは、円筒状のスキュー部ｂを先端に備えてなり、このスキュー部ｂの先端縁ｃが、図７(b)および(c)に示すように、ピニオンギヤ等のケースに装填される針状コロＲ、Ｒ、…の一端に当接係合する構造とされている。
【０００４】
そして、上記仮固定装置の回転軸（図示省略）に取付けられたスキュー治具ａが、上記針状コロＲ、Ｒ、…の一端に当接係合されるとともに、上記回転軸の回転動作により回転力を与えられ、これにより、針状コロＲ、Ｒ、…の一端を円周方向へ強制的に偏位させて、これら針状コロＲ、Ｒ、…を図７(b)に示すようなスキュー状態に仮固定する。この仮固定状態においては、装填された針状コロＲ、Ｒ、…のケースからの脱落がなく、針状コロ装填後の取り扱いをきわめて容易にすることができる。
【０００５】
【発明が解決しようとする課題】
しかしながら、上記従来のスキュー治具ａの構造では以下に述べるような不具合があり、さらなる改良の余地があった。
【０００６】
すなわち、上記スキュー治具ａにおけるスキュー部ｂの先端縁ｃには、係合溝ｄが円周方向へ所定間隔をもって形成されて、針状コロＲ、Ｒ、…の一端に対する良好な係合状態が得られるように工夫がされているところ、針状コロＲ、Ｒ、…をスキューする際に、スキューの困難な場合がある。
【０００７】
具体的には、上記係合溝ｄの形状としては、特開平３−７９２４４号公報に開示されるような矩形状や、図７に示されるようなＶ字形状が考えられたが、本発明者等は、後者のＶ字形状の係合溝ｄの方が針状コロＲ一端との係合状態を得やすいことを試験的に確認し、近時はＶ字形状の係合溝ｄを採用している。
【０００８】
一方、上記針状コロＲの端部形状としては、一般的に図８(a)に示すような二種類があり、「１」（図８における丸付き数字１）のような球面形状の針状コロの方が、「２」（図８における丸付き数字２）のような面取りがなされた平坦面形状の針状コロよりも、図(b)に示すように、接触箇所ないしは接触面積が大きく、より良好かつ確実な係合状態（大きな引掛り抵抗）が得やすいことが試験的に判明している。
【０００９】
そして、特に後者の面取りがなされた平坦面形状の針状コロＲ、Ｒ、…にあっては、たとえＶ字形状の係合溝ｄを採用したスキュー治具ａでも、針状コロＲ、Ｒ、…に接触する時の加圧力を上げたり、スキューの回数を増やすなどの方法を採っても、スキュー率を上げることができなかった。このような不具合は、上記係合溝ｄの配設数を針状コロＲ、Ｒ、…の配設数に一致させたり、溝形状寸法を大きくする等の工夫をしてもあまり改善がみられなかった。
【００１０】
また、面取りがなされた平坦面形状の針状コロＲ、Ｒ、…にあっては、上記スキュー治具ａにより一旦スキュー状態に仮固定できたとしても、所望強さの仮固定状態が得にくく、運搬等の取扱い時のちょっとした衝撃等の弱い力で、針状コロＲ、Ｒ、…の仮固定状態が解除されてバラけてしまうという不具合もあった。
【００１１】
本発明は、かかる従来の課題に鑑みてなされたものであって、その目的とするところは、スキュー治具の先端形状を工夫することにより、針状コロの一端との係合力（引掛り抵抗）を高めて、針状コロの端面形状の如何にかかわらず、高いスキュー率で針状コロを仮固定できる仮固定技術を提供することにある。
【００１２】
【課題を解決するための手段】
上記目的を達成するために、本発明の針状コロのスキュー治具は、ケースの円筒状のコロ装填孔内に並列状に装填された複数個の針状コロに対して、これら針状コロの一端を上記コロ装填孔の内径面円周方向へ強制的に偏位させることにより、これら針状コロをスキュー状態に仮固定するものであって、上記針状コロの一端に当接係合する先端スキュー部を先端に備え、この先端スキュー部は、上記ケースの針状コロの一端面で形成される環状輪郭に対応した円環状断面を有する円筒部の形態とされるとともに、この円筒部の先端縁が円周方向へ連続的にかつ交互に傾斜した複数の傾斜面からなる階段状に形成されていることを特徴とする。
【００１３】
好適な実施態様として、上記円筒部の先端縁を構成する交互に傾斜する傾斜面の一方が上記ケースのコロ装填孔内に装填された針状コロの一端と円周方向へ当接係合するスキュー係合面とされ、さらに、このスキュー係合面の傾斜角度は、上記針状コロのスキュー傾斜角度よりも大きく設定されている。また、上記スキュー係合面の配設数は、前記針状コロの配設数に等しく設定されていることが好ましい。
【００１４】
本発明の針状コロの仮固定装置は、上記スキュー治具を主要部として備えてなるもので、ケースおよびこのケースのコロ装填孔に装填された針状コロの下端を支持するケース支持台上に、上記ケースを固定するケース固定手段と、上記ケースに装填された上記針状コロの上端を、上記コロ装填孔の内径面円周方向へ強制的に偏位させて、装填した針状コロを、その軸心が上記コロ装填孔の軸心に対し傾斜したスキュー状態として、これら針状コロに自己保持力を付与するスキュー手段とを備えてなり、このスキュー手段は、上記ケースの針状コロ上端面に押圧係合する押圧部と、この押圧部を回転させる回転部とから構成され、上記押圧部は、上記スキュー治具を先端部に備えるスキュー軸と、このスキュー治具を上記ケース支持台上の上記ケースの針状コロ上端面に押圧する押圧バネとを備えることを特徴とする。
【００１５】
上記ケースとしては、例えば、外周部全周にギヤ歯を備えたピニオンギヤや保持器を備えない針状総コロ軸受のレースがある。
【００１６】
ここに、スキュー状態とは、上記コロ装填孔の円筒内径面に沿って円筒状に配列された針状コロ（円筒体）の軸方向両端部分に、上記円筒内径面に沿った円周方向のねじり力が与えられて、前記円筒体にねじりが生じた状態をいう。
【００１７】
このスキュー状態においては、各針状コロがねじり方向に傾くので、コロ装填孔の横断面においては、各針状コロの直径が大きくなったようになり、針状コロ同士が互いに押圧し合って仮固定状態となる。つまり、コロ装填孔の横断面においてコロ装填孔に装填されている針状コロの断面をみたとき、スキュー前では各針状コロは軸心をコロ装填孔の軸心と等しく配置されているので、その横断面は軸方向と直角に切断された円形であるのに対して、スキュー後では各針状コロがねじり方向にある角度だけ傾いているので、針状コロの横断面は軸方向と直角ではない角度で切断された楕円形となり、これによって各針状コロの直径を大きくしたような作用が発揮されるのである。
【００１８】
また、この作用によって各針状コロが互いに押圧し合うと、これら針状コロの軸方向両端側においては、針状コロ同士が押圧し合ってコロ装填孔で径方向外側へ広がろうとする応力が働き、この応力により、針状コロが上記コロ装填孔の内径面と接触する部分で大きな摩擦力が発生し、これにより、針状コロがコロ装填孔内に保持される。一方、針状ころの軸方向中央部においては、コロ装填孔の内径面に接触していた針状コロが、コロ装填孔の径方向内側へ張り出すので、針状コロの作る前記円筒状空間の直径が小さくなり、針状コロ同士はより一層押圧し合うこととなる。さらに、針状コロがコロ装填孔の内径面から浮き上がると、針状コロとコロ装填孔の内径面との間の隙間がスプリングの役目を果たすので、所定以上の衝撃力などが加えられない限り、針状コロ同士の押圧が解かれるということがなくなる。以上のような総合的な作用によって、針状コロはコロ装填孔の内径面に仮固定状態とされるのである。
【００１９】
さらに、自己保持力とは、各針状コロがスキュー状態におかれることによって、ガイド軸がなくともコロ装填孔内に保持される力をいう。
【００２０】
本発明のスキュー治具、例えばこのスキュー治具を備えた上記仮固定装置により、ケース内に複数個の針状コロをスキュー状態に仮固定するには、上記ケースの円筒状のコロ装填孔内にガイド軸を配し、このガイド軸の外径面とケースのコロ装填孔の内径面との間の円筒状空間に、所定個数の針状コロが、その軸心をコロ装填孔の軸心と平行となるように並列状に装填された後、これら円筒状に装填された各針状コロの一端を、上記スキュー治具により上記コロ装填孔の内径面円周方向へ強制的に偏位させて、針状コロを、その軸心が上記コロ装填孔の軸心に対して傾斜したスキュー状態とする。
【００２１】
これにより、各針状コロの両端外周部は上記コロ装填孔の内径面に押圧状態で当接されるとともに、各針状コロ同士も互いに押圧状態で当接されることとなり、これら当接により得られる押圧力により、針状コロ全体（円筒体）としての自己保持力が付与されて、針状コロが仮固定されることとなる。
【００２２】
この場合、上記スキュー治具の先端スキュー部の先端縁が円周方向へ連続的にかつ交互に傾斜した複数の傾斜面からなる階段状に形成されていることにより、針状コロの端面形状の如何にかかわらず、針状コロの上端との強い係合力（引掛り抵抗）が確保されて、高いスキュー率で針状コロを仮固定することが可能となる。
【００２３】
この結果、上記スキュー状態が得られた後に、上記ガイド軸を抜き取っても、針状コロ全体は上記コロ装填孔の内径面に保持（仮固定）されており、通常の状態ではコロ装填孔から脱落することがない。一方、所定の搬送または組み込み作業等が完了した後に、上記ケースに対して、例えば軸方向から所定以上の衝撃力を与えることにより、上記針状コロ全体のスキュー状態（仮固定状態）が解除される。これにより、各針状コロは、その軸心がコロ装填孔の軸心と平行となるように並列状に配列されて、針状コロ本来の軸受機能が付与される。
【００２４】
【発明の実施の形態】
以下、本発明の実施形態を図面に基づいて説明する。
【００２５】
本発明に係る針状コロのスキュー治具を図１〜図６に示し、このスキュー治具１は、具体的には、外周部全周にギヤ歯を備えたピニオンギヤＷ用のものであって、図１に示されるすように、ピニオンギヤ（ケース）Ｗの軸孔（コロ装填孔）Ｗａ内に、ガイド軸Ｇを案内手段として装填された針状コロＲ、Ｒ、…を、図３に示すようなスキュー状態（仮固定状態）とするための治具である。
【００２６】
ここに、スキュー状態とは、上記針状コロＲ、Ｒ、…から形成される仮想的な円筒体の軸方向両端部分に、上記ガイド軸Ｇの外径面と上記軸孔Ｗａの内径面との間の円筒状空間に沿った円周方向のねじり力が与えられて、上記仮想の円筒体にねじりが生じる状態をいう。
【００２７】
本実施形態のスキュー治具１は、図６に示す仮固定装置（スキュー発生装置）の主要部として用いられている。
【００２８】
このスキュー発生装置は、例えば特開平３−７９２４４号公報に開示されるように従来公知の構造を備え、具体的には、ピニオンギヤＷを支持するケース支持台２と、このケース支持台２上に、ピニオンギヤＷを供給排出するローダ３と、上記ケース支持台２上にピニオンギヤＷを固定する固定機構（固定手段）４と、上記ピニオンギヤＷに装填された針状コロＲ、Ｒ、…の上端に、円周方向の力を作用させる上記スキュー治具１を備えたスキュー機構（スキュー手段）５を主要部として備えてなる。
【００２９】
ローダ３は、図６において、左右方向へ移動する基台３ａ上に、紙面に対して垂直方向へ移動する保持台３ｂが装置されてなる。また、固定機構４は、図６において、左右方向へ進退動作する固定シリンダ４ａを備えてなる。
【００３０】
スキュー機構５は、ピニオンギヤＷの針状コロＲ、Ｒ、…上端面に押圧係合する押圧部１０と、この押圧部１０を回転させる回転部１１とから構成されている。
【００３１】
押圧部１０は、スキュー治具１を先端部に備えて昇降動作するスキュー軸１２と、スキュー治具１をケース支持台２上のピニオンギヤＷの針状コロＲ、Ｒ、…上端面に向けて下方へ押圧する押圧バネ１３とを備える。この押圧バネ１３は、スキュー治具１を予め設定された押圧力をもって、常時下方へ弾発的に付勢しており、この下方への押圧力が上記スキュー治具１のスキュー荷重の大きさを決定する。
【００３２】
また、回転部１１は、上記スキュー軸１２を回転させて、スキュー治具１をスキュー動作させる。
【００３３】
スキュー治具１は、図１に示すように、スキュー軸１２の先端つまり下端１２ａに、キー１５を介してスキュー軸１２と一体回転可能に、かつ締付ネジ１６により取外し交換可能に取り付けられるもので、予め複数種類のスキュー治具１を備えておくことにより、図示例のような各種のピニオンギヤの他、保持器を備えない針状総コロ軸受のレースなど、各種のピニオンギヤＷをスキュー処理することができる。
【００３４】
また、スキュー治具１は、図２に具体的に示すように、スキュー軸１２の中空孔１２ｂと同軸状に連通する中空孔１ａを有する円筒体の形態とされるとともに、その先端部２０が針状コロＲ、Ｒ、…の上端Ｒａ、Ｒａ、…に当接係合する円筒状の先端スキュー部とされている。スキュー軸１２の中空孔１２ｂとスキュー治具１の中空孔１ａには、上記ガイド軸Ｇがスキュー治具１の先端から所定長さ突出可能なように挿通されている。
【００３５】
上記先端スキュー部２０は、ピニオンギヤＷの針状コロＲ、Ｒ、…の一端面で形成される環状輪郭に対応した円環状断面を有する円筒部の形態とされるとともに、この円筒部２０の先端縁つまり下端縁２１が、円周方向へ連続的にかつ交互に傾斜した複数の傾斜面２１ａ、２１ｂ、…からなる階段状に形成されている。
【００３６】
具体的には、上記円筒部２０の先端縁２１を構成する交互に傾斜する傾斜面２１ａ、２１ｂの一方２１ａが、ピニオンギヤＷの軸孔Ｗａ内に装填された針状コロＲ、Ｒ、…の一端と円周方向へ当接係合するスキュー係合面とされている。
【００３７】
このように、円筒部２０の下端縁２１が複数の傾斜面２１ａ、２１ｂ、…からなる階段状に形成されていることにより、図７に示す従来のスキュー治具ａの先端縁ｃの構造（係合溝ｄ、ｄ、…が円周方向へ所定間隔をもって形成されている）に比較して、針状コロＲ、Ｒ、…の一端との円周方向の係合状態を確保しやすく、高い係合力（引掛り抵抗）を得ることができる。
【００３８】
換言すれば、従来の先端縁ｃ形状にあっては、図７(c)および図８(b)に示すように、隣接する係合溝ｄ、ｄ間に介在する平坦面ｅが係合溝ｄと針状コロＲの上端Ｒａとの十分な引っ掛かりを阻害する結果、係合溝ｄと針状コロＲの上端Ｒａとの接触が点接触に近くて、スキューが掛かり難い。
【００３９】
これに対して、本発明に係る先端縁２１の形状にあっては、図４に示すように、複数の傾斜面２１ａ、２１ｂ、…からなる階段状に形成されていることで、傾斜面２１ｂが逃げ面となって、スキュー係合面２１ａと針状コロＲの上端Ｒａとの十分な引っ掛かりが得られ、しかもスキュー係合面２１ａと針状コロＲの上端Ｒａとの接触は線接触に近く、この結果、スキューが掛かり易い。
【００４０】
上記両傾斜面２１ａ、２１ｂを異なった角度からみると、両傾斜面２１ａ、２１ｂからなる突起２２が隣接する針状コロＲ、Ｒ間に確実に突入係止し得るということもできる。本実施形態においては、この観点から、スキュー係合面２１ａの配設数が針状コロＲ、Ｒ、…の配設数に等しくかつ等配分に設定されて、隣接する針状コロＲ、Ｒ間のすべてに上記突起２２が突入係止して全針状コロＲ、Ｒ、…に均一なスキュー力が作用するように構成されている。
【００４１】
また、図４を参照して、上記スキュー係合面２１ａの傾斜角度αは、針状コロＲ、Ｒ、…のスキュー傾斜角度βよりも大きく設定されている。図示の実施形態においては、スキュー係合面２１ａの傾斜角度αが針状コロＲ、Ｒ、…のスキュー傾斜角度βよりも若干大きい角度に設定されている。
【００４２】
このようにスキュー係合面２１ａの傾斜角度αが針状コロＲ、Ｒ、…のスキュー傾斜角度βよりも大きく設定されているのは、以下の理由による。
【００４３】
つまり、図５(a)に示すように、スキュー係合面２１ａの傾斜角度αがスキュー傾斜角度βよりも小さい場合（α＜β）、上記両傾斜面２１ａ、２１ｂからなる突起２２が針状コロＲの先端に当たることとなり、これによりスキュー力Ｆがほぼ水平方向へ働くことになって、強いスキュー状態が得難いのに対して、図５(b)に示すように、スキュー係合面２１ａの傾斜角度αがスキュー傾斜角度βよりも大きい場合（α＞β）、上記スキュー係合面２１ａが針状コロＲの先端に当たることとなり、スキュー力Ｆが水平下方向へ働くことになって、強いスキュー状態が得易いからである。
【００４４】
しかして、上記円筒部２０の下端縁２１が、上記針状コロＲ、Ｒ、…の上端面に弾発的に押圧された状態で、上記スキュー治具１が回転されると、図３および図４(a)に示すように、各スキュー係合面２１ａが針状コロＲの上端Ｒａに係合して、この上端ＲａをピニオンギヤＷの軸孔Ｗａの内径面円周方向へ強制的に偏位させ、これにより、針状コロＲ、Ｒ、…がスキュー状態とされることとなる。
【００４５】
この場合、上記スキュー治具１の円筒部２０の下端縁２１は、円周方向へ連続的にかつ交互に傾斜した複数の傾斜面２１ａ、２１ｂ、…からなる階段状に形成されていることにより、針状コロＲ、Ｒ、…の端面形状の如何にかかわらず、針状コロＲ、Ｒ、…の上端Ｒａ、Ｒａ、…との強い係合力（引掛り抵抗）が確保されて、両者１、Ｒ、Ｒ、…間の滑りが少なく、高いスキュー率で針状コロＲ、Ｒ、…を仮固定することが可能となる。
【００４６】
次に、以上のように構成されたスキュー発生装置を用いて、ピニオンギヤＷに装填された針状コロＲ、Ｒ、…を仮固定する方法について説明する。
【００４７】
（１）軸孔Ｗａ内に所定個数の針状コロＲ、Ｒ、…が装填されたピニオンギヤＷを、ローダ３によりケース支持台２上に位置決めする。この位置決めが完了すると同時に、固定機構４により上記ピニオンギヤＷを固定する。
【００４８】
（２）ピニオンギヤＷの固定が完了すると、スキュー軸１２が下降し、その下端のスキュー治具１が、上記ピニオンギヤＷの針状コロＲ、Ｒ、…の上端Ｒａ、Ｒａ、…に弾発的に押しつけられる（この押圧力は、押圧バネ１３の弾発付勢力により設定される）。続いて、この押圧状態のまま、スキュー治具１が回転部１１により所定角度だけ回転される。
【００４９】
この回転動作により、上述したように、針状コロＲ、Ｒ、…の上端Ｒａ、Ｒａ、…が、ピニオンギヤＷの軸孔Ｗａの内径面円周方向へ強制的に偏位されて（図３参照）、これら針状コロＲ、Ｒ、…は、その軸心が上記軸孔Ｗａの軸心に対して傾斜したスキュー状態とされる。これにより、各針状コロＲは、その両端外周部が上記軸孔Ｗａの内径面に押圧状態で当接されるとともに、各針状コロＲ、Ｒ、…同士も互いに押圧状態で当接されることとなり、これら当接により得られる押圧力により、針状コロＲ、Ｒ、…全体（円筒体）としての自己保持力が付与されることとなる。
【００５０】
（３）ケース支持台２上に固定されたピニオンギヤＷのスキュー処理が完了すると、スキュー治具１が上昇するとともに逆方向に回転動作し、これにより、スキュー治具１が初期状態に復帰する。
【００５１】
そして、スキュー処理が完了したピニオンギヤＷは、ガイド軸Ｇを抜き取っても、針状コロＲ、Ｒ、…全体は軸孔Ｗａの内径面に保持（仮固定）されており、通常の状態では軸孔Ｗａから脱落することがなく、ガイド軸Ｇを引き抜かれたピニオンギヤＷは、そのままの状態で、つまり、針状コロＲ、Ｒ、…の落下防止のための手段を使用することなく、ベルトコンベア、すべり手段、転がり手段あるいは把持手段等、適宜の搬送手段を用いて搬送することができ、また所定部位に組付けられる。
【００５２】
また、このピニオンギヤＷの組付けの前後のいずれかにおいて、上記ピニオンギヤＷに所定の軸方向衝撃力を加えることにより、針状コロＲ、Ｒ、…全体のスキュー状態（仮固定状態）が解除される。これにより、各針状コロＲは、その軸心が上記軸孔Ｗａの軸心と平行となるように並列状に配列されて、針状コロＲ、Ｒ、…本来の軸受機能が付与されることとなる。
【００５３】
なお、上述した実施形態はあくまでも本発明の好適な実施態様を示すものであって、本発明はこれに限定されることなく、種々設計変更可能である。
【００５４】
例えば、図示の実施形態は外周部全周にギヤ歯を備えたピニオンギヤＷに本発明を適用した場合であるが、本発明は、この他保持器を備えない針状総コロ軸受のレースなど、同様のケースに適用することができる。
【００５５】
【発明の効果】
以上詳述したように、本発明によれば、スキュー治具の先端スキュー部の先端縁が円周方向へ連続的にかつ交互に傾斜した複数の傾斜面からなる階段状に形成されているから、針状コロの端面形状の如何にかかわらず、針状コロの一端との強い係合力（引掛り抵抗）が確保されて、スキュー治具の針状コロの一端に対する滑りが可及的に減少され、高いスキュー率で針状コロを仮固定することが可能となる。
【図面の簡単な説明】
【図１】
本発明に係る一実施形態である針状コロのスキュー治具を有する仮固定装置のスキュー軸の先端部構造を示す正面断面図である。
【図２】
同スキュー治具を示し、図２(a)は正面図、図２(b)は底面図である。
【図３】
同スキュー治具により針状コロをスキューした状態を示す拡大正面図である。
【図４】
同スキュー治具の先端縁を拡大して示し、図４(a)はスキュー状態における同先端縁と針状コロの上端との当接係合状態を一部断面で示す正面図、図４(b)は同先端縁の階段形状を示す拡大正面図である。
【図５】
同スキュー治具の先端縁の階段形状の条件を説明するための図で、スキュー状態における同先端縁と針状コロの上端との当接係合状態を示す。
【図６】
同スキュー治具を主要部として備える仮固定装置の全体構成を一部断面で示す正面図である。
【図７】
従来の針状コロのスキュー治具を示し、図７(a)は正面図、図７(b)はスキュー状態における同スキュー治具の先端縁と針状コロの上端との当接係合状態を示す正面図、図７(c)は同じく同当接係合状態を示す拡大正面図である。
す正面断面図である。
【図８】
図８(a)は針状コロの先端形状の種類を示す拡大正面図、図８(b)はこれら先端形状の針状コロに対する従来のスキュー治具先端縁の当接係合状態を一部断面で示す拡大正面図である。
【符号の説明】
W                      ピニオンギヤ（ケース）
Ｗａ                    軸孔（コロ装填孔）
Ｇ                      ガイド軸
R                      針状コロ
１                      スキュー治具
２                      ケース支持台
４                      固定機構（固定手段）
５                      スキュー機構（スキュー手段）
１０                    押圧部
１１                    回転部
１２                    スキュー軸
１２ａ                  スキュー軸の下端
１３                    押圧バネ
２０                    円筒部（先端スキュー部）
２１                    円筒部の下端縁（先端縁）
２１ａ、２１ｂ          円筒部の下端縁の傾斜面
２１ａ                  円筒部の下端縁のスキュー係合面
２２                    突起